(57)【要約】  ペンダント１は、正面２および背面３を有する本体４を含み、本体４に配置されるペンダント１を個性化する要素を含み、ペンダントを個性化する要素は、レンチキュラー物体５として設計される。【選択図】図１
2012524572.tif 000002
【特許請求の範囲】
【請求項１】
正面(2)および背面(3)を有する本体(4)と、
ペンダントを個性化し、前記本体(4)に配置される要素とを含む、ペンダント(1)であって、
前記ペンダントを個性化する要素は、レンチキュラー物体(5)で設計されることを特徴とする、ペンダント(1)。
【請求項２】
前記レンチキュラー物体(5)は、前記本体(4)の前記正面(2)に配置されることを特徴とする、請求項１に記載のペンダント(1)。
【請求項３】
前記本体の前記背面(3)は、平坦な表面として設計されることを特徴とする、請求項２に記載のペンダント(1)。
【請求項４】
二つ目のレンチキュラー物体(9)は、前記本体(4)の前記背面(3)に配置されることを特徴とする、請求項２に記載のペンダント(1)。
【請求項５】
少なくとも一つのレンチキュラー物体(5)は、前記本体(4)に物理的に結合されることを特徴とする、請求項１から４のいずれかに記載のペンダント(1)。
【請求項６】
少なくとも一つのレンチキュラー物体は、本体(4)にぴったりと密着して接合されると共に好ましくは前記本体(4)から取り外し可能であることを特徴とする、請求項１から４のいずれかに記載のペンダント(1)。
【請求項７】
少なくとも一つのレンチキュラー物体(5)は、前記本体(4)の中央に配置されることを特徴とする、請求項１から６のいずれかに記載のペンダント(1)。
【請求項８】
前記本体(4)は、好ましくは円形のメダル（medallion）として設計されることを特徴とする、請求項１から７のいずれかに記載のペンダント(1)。
【請求項９】
前記本体(4)は、好ましくは外側の端部に、特に留め孔(6)の形を取ったホルダーを有することを特徴とする、請求項１から８のいずれかに記載のペンダント(1)。
【請求項１０】
前記本体(4)は、金属物質または合成樹脂でできていることを特徴とする、請求項１から９のいずれかに記載のペンダント(1)。
【請求項１１】
前記本体(4)の前記正面(2)および／または前記背面(3)に少なくとも一つのランプまたは電球(8)が設けられることを特徴とする、請求項１から１０のいずれかに記載のペンダント(1)。
【請求項１２】
少なくとも一つのランプまたは電球(8)は、少なくとも一つのレンチキュラー物体(5)と前記本体(4)の間および／または少なくとも一つのレンチキュラー物体(5)に接して配置されることを特徴とする、請求項１１に記載のペンダント(1)。
【請求項１３】
前記本体(4)は、特に再充電可能電池である電力源(10)を有し、
前記電力源(10)は、少なくとも一つのランプまたは電球(8)が接続できると共に、好ましくは閉じることができる凹部(9)に配置されることを特徴とする、請求項１１または１２に記載のペンダント(1)。
【発明の詳細な説明】
【技術分野】
【０００１】
この発明は、正面および背面を有する本体と、請求項１の前文に記載された、ペンダントを個性化すると共に本体に設置される要素とを含む、ペンダントに関する。
【背景技術】
【０００２】
このようなペンダントは、各種の実施形態の先行技術が存在する。例えば、鍵リングやネックレスのための本体を有するペンダントが知られている。ペンダントを個性化する要素は、例えば、粘着ラベルの形あるいは彫り刻まれた銘の形をとって、ペンダントに特別な雰囲気および／または特別な外見を与えるために、先行技術で知られているペンダントの本体に設けられてもよい。
【０００３】
ペンダントを個性化すると共に本体に適用される、例えば、粘着ラベルの形をとる要素は、写真を有してもよい。さらに、例えば、配偶者の名前などの彫り刻まれた銘を有することが考えられる。これは、特別かつ個性的な雰囲気をペンダント自身に与えるために、ペンダントの本体に設けられてもよい。
【発明の概要】
【発明が解決しようとする課題】
【０００４】
このような先行技術で知られたペンダントは、適切な方法で目的を果たす。
【０００５】
しかしながら、上記のこのようなペンダントの背景に対して、この発明の目的は、さらに改良されると共に公知を超えた個性化を許容する追加の機能が設けられるペンダントを個性化する要素を含む、新しいペンダントを提案することである。
【０００６】
この発明の目的は、ペンダントを個性化すると共にペンダントの本体に配置される要素がレンチキュラー物体(lenticular object)として具体化される事実によって達成される。
【課題を解決するための手段】
【０００７】
この特許出願におけるレンチキュラー物体の意味するところは、視覚効果を有すると共にレンチキュラー画像または変化に富む画像として具体化される要素であると理解される。また、レンチキュラー物体が観測者に対して三次元の印象または画像を生成し、それによって表示される。このようなレンチキュラーシステムを用いて、情報のいくつかの異なる画像または項目を一つのレンチキュラー物体に表示することが可能となる。異なる画像の面の数は、レンチキュラー物体のレンズのサイズおよびレンチキュラー物体の画像の解像度によって決定される。レンチキュラー物体との関係における観測者の観測角度の変化によって、画像自身の動きで特に達成され、および／または、情報の異なる画像または項目が交互に観測者に対して表示されてもよい。
【０００８】
情報のいくつかの異なる画像または項目がレンチキュラー物体に格納されてもよく、この場合、例えば、運動選手の連続した動きに使用されてもよい。または、サッカーチームのエンブレムおよびサッカーチームに関係する情報が使用されてもよく、その時、観測者に対して、これらが交互に表示されてもよい。
【０００９】
ペンダントを個性化する要素としてのレンチキュラー物体の使用は、次の利点を有する。まず第1に、異なる種類の画像および情報および／または連続画像が格納されてもよいので、ペンダントを個性化するための大きな可能性を生成する。さらに、レンチキュラー物体の使用は、大量の情報を収容するという機会も生成する。この情報は、観測角度に依存して、観測者に対して見えても見えなくてもよい。また、この情報は、ペンダントの本体の限られた領域に表示することが、この発明の目的にとって有効である。
【００１０】
追加の利点は、従属請求項に説明されるように、この発明の主題の実施形態から、引き出される。
【００１１】
この発明に係るペンダントの有利な実施形態によると、レンチキュラー物体はペンダントの本体の正面に配置されてもよい。ペンダントの背面は平坦な表面として具体化されてもよい。
これは、レンチキュラー物体を正面に配置することによって、観測者に対して多様な画像を表示することを可能にする。一方で、例えば、追加のデータや情報、例えば、ペンダントの着用者を特徴付ける情報または正面のレンチキュラー物体によって提供される画像に関する追加の情報は、背面で、例えば、彫り刻まれた銘の形または従来の粘着ラベルの形をとって、設けられてもよい。
【００１２】
この発明の主題の、他の利点のある実施形態によると、レンチキュラー物体は本体の背面にも設置される。これによって、二倍の情報を有利に収容することが可能となる。なぜなら、観測角度に依存して、レンチキュラー物体は、ペンダントが裏返った後でペンダントの裏側の画像を表示し、その結果として、観測者に対して異なる画像およびビュー（views）を表示する。
【００１３】
少なくとも一つの空洞物体（ventricular object）は、好ましくは、物理的に本体に接合される。特に、レンチキュラー物体は、本体に接着剤で取り付けられてもよい。
【００１４】
さらに、レンチキュラー物体が、好ましくは、キャリアプレートに配置されることも考えられる。すなわち、キャリアプレートは、ぴったりと密着する方法であると共に好ましくは着脱自在で本体に接続されることもできる。しかしながら、レンチキュラー物体は、キャリアプレートなしでも、ぴったりと密着する方法で本体に接続可能であってもよい。レンチキュラー物体を支持するキャリアプレレートは、本体の対応する凹部に取り付けられてもよい。その代わりとして、キャリアプレートに掛け金を設けることも可能である。キャリアプレートは、対応する本体の接続凹部とかみ合う。この掛け金は、好ましくは、レンチキュラー物体およびキャリアプレートが本体から取り外しできるように設けられる。これによって、ペンダントを個性化すると共にレンチキュラー物体として具体化される要素が、本体から取り外しできる。さらに、代わりのレンチキュラー物体と交換できるという利点を有する。例えば、ペンダントを扇状の物体（fan object）として具体化することが考えられる。それによって、レンチキュラー物体が、ナショナルリーグのサッカーチームのエンブレムを表す。このエンブレムは、観測者の観測角度に依存して異なるように設計される。また、ペンダントを扇状の物体で具体化することによって、クラブのエンブレムに加えた追加の情報（例えば、クラブの設立、チームのメンバー数、および着用しているサッカー選手に関して、といった情報）が、レンチキュラー物体で見える。さらに、観測角度に依存して、その時使用者に対してエンブレムと交互に見えて提供されてもよい。この方法で設計されるレンチキュラー物体は、代わりのレンチキュラー物体に置き換えてもよい。例えば、レンチキュラー物体は、本体にぴったりと密着し、かつ本体と取り外し可能な方法で接続されているのであれば、異なるサッカーチームのものと取って代わってもよい。
【００１５】
この発明に係るペンダントの他の特別な実施形態によれば、円形のメダル（medallion）として実施されることが好ましい。この特許出願におけるメダルの意味するところは、次のように理解されるべきである。まず、平坦な単一の本体であると共に、他方では二点からなる本体として理解されるべきである。すなわち、レンチキュラー物体がメダルに隠された状態で閉じ蓋の下に位置すると共に閉じ蓋が開いたときにだけ見えるようにするために、正面は閉じ蓋によって全体を閉じることが可能である。
【００１６】
ここでのペンダントの本体は、円形状以外の形状を有してもよい。すなわち、この特許出願における円形状の意味するところは、円形状と同様に楕円形状であると理解される。さらに、例えば、ペンダントは多角形、好ましくは六角形であってもよい。
【００１７】
レンチキュラー物体は、好ましくは本体の中央に配置される。この発明の主題の特定の実施形態によると、レンチキュラー物体の周辺端部と本体の周辺端部との間に遊び（free area）を得るために、レンチキュラー物体は本体より小さく設計されてもよい。すなわち、この領域は、例えば、彫り刻まれた銘あるいは印の形をとった追加の装飾が設けられてもよい。
【００１８】
この発明に係るペンダントの改良においては、特に留め孔の形をとったホルダーが、好ましくは本体の外側の端部に設けられる。このペンダントは、首の周りに着用してもよいし、または留め孔を通ったリボンを用いて他の物体が取り付けられてもよい。また、レンチキュラー物体を透けて、サッカーチームのユニフォームのエンブレムを表示して具体化されてもよい。
【００１９】
この発明の主題の他の実施形態によると、本体は、好ましくは表面が磨かれた金属物質、あるいは合成樹脂でできている。これにより、とくに背面のエンボス加工のための多くの可能性を生成する。この背面は平坦に設計され、および／またはエンボス加工によって成形される。背面に情報のある本体は、従来の射出成形によって製造を容易にすることが可能である。
【００２０】
この発明の主題の特定の改良によると、本体の正面および／または背面は、少なくとも一つのランプまたは電球を有する。特に、ＬＥＤ（light-emitting diodes）の使用は、ＬＥＤがあらゆるサイズで使用可能であると共に非常に順応性のある方法で使用可能であるので、特に提案される。さらに、ＬＥＤは消費電力が非常に低い。しかしながら、他のどのような種類の適切なランプおよび電球、例えば、受動リン光成分を含むランプおよび電球の使用も考えられる。少なくとも一つのランプまたは電球は、少なくとも一つの空洞物体と本体との間、および／または少なくとも一つのレンチキュラー物体に接して、本体に配置される。前者の配置により、いわゆる背景の光としての特定の照明の効果は、ランプあるいは電球自身によって生成されることが可能である。しかしながら、二つ目の配置によれば、レンチキュラー物体の周辺に多くのランプおよび電球が設けられ、それによって特定の光の効果が得られることが考えられる。
【００２１】
もし電気によって作動する複数のランプよび電球であれば、少なくとも一つのランプまたは電球を操作するために、本体は、特に再充電可能電池である電源を格納する閉じることが可能な凹部を有する。複数のランプおよび電球を作動させるために必要な電力を供給するために、複数のランプおよび電球は、この電力源に接続することが可能である。再充電可能電池に加えて、例えば、一体化された電池（integrated battery）といった、あらゆる電力源が考えられる。
【００２２】
この発明に係る他の実施形態においては、この発明に係るペンダントは、例えば、ベルトの閉じ部と併せてベルトの一部として具体化されてもよい。ベルトの閉じ部を対応する受け部と共に設けることが考えられ、この受け部はペンダントが収容されると共に取り外し可能である。例えば、閉じ部に掛け金を使用すると共にペンダントに補足的に引っ掛ける突出部を使用する。しかしながら、ペンダントの閉じ部を固定するための他の可能性も考えられる。例えば、ベルトが通る多数の留め孔がペンダントに設けられてもよい。
【００２３】
代わりに、ペンダントは襷（sash）の一部として具体化されてもよい。このようにするために、ペンダントは、好ましくは安全な留め金（safety clasp）の形をとった固定手段を有することが好ましい。例えば、好ましくは背面に安全な留め金が設けられ、襷に取り付け可能である。また、襷が通る多数の留め孔をペンダントに設けることが考えられる。
【００２４】
さらに、ブローチの形をとってペンダントを具体化することが考えられる。固定手段は、ブローチの類のペンダントを着用者の服に取り付けることを可能にするために、ペンダントの本体の背面に設けられることが好ましい。固定手段は、安全な留め金またはこれに相当する道具の形をとって具体化されてもよい。
【図面の簡単な説明】
【００２５】
【図１】この発明に係るペンダントを正面から見た図である。
【図２】第１の実施形態において、この発明に係るペンダントを背面から見た図である。
【図３】第１の実施形態において、この発明に係るペンダントを側面から見た図である。
【図４】第２の実施形態において、この発明に係るペンダントを背面から見た図である。
【発明を実施するための形態】
【００２６】
この発明に係るペンダント１が有する本体４の正面２を図１に示す。本体４は、円形状に設計される。レンチキュラー物体５は、本体４の正面２の中央に配置される。レンチキュラー物体５の直径は、本体４の直径より小さいので、これによって、彫り刻まれた銘あるいは少なくとも一つのランプおよび／または電球が設けられる周辺リングが設けられてもよい。本体４の上向きの端には、使用者の首の周りにペンダント１を保持するために図示しないリボンが貫通できる留め孔６が、例えば、鍵リングなどに、設けられる。
【００２７】
この発明に係るペンダント１の本体４が有する背面３を図２に示す。背面３は平坦な表面７を有する。例えば、彫り刻まれた銘は、ペンダント１に追加の情報を与えるために、平坦な表面７に設けられてもよい。さらに、追加の情報は、粘着ラベルまたはこれに類するものを使用して、平坦な表面７に設けられてもよい。
【００２８】
この発明に係るペンダント１の本体４を側面から見た、矩形として設計される要素を図３に示す。レンチキュラー物体５は、正面２に配置される。背面３は平坦な表面７として設計される。
【００２９】
さらに、本体４は再充電可能電池の形をとった電源がその内部に位置する凹部９を有する。凹部９は閉じることができる。さらに、他の凹部が存在し、その内部にランプまたは電球８を有し、本体４のレンチキュラー物体５の後ろに設けられる。レンチキュラー物体５は、ランプまたは電球８によってその後ろから照らされる。ランプまたは電球は図示しないスイッチによって操作されてもよい。
【００３０】
代わりとなる実施形態のペンダント１´を図４に示す。このペンダント１´は、背面３´の設計を除いては、第１の実施形態のペンダント１の全ての特徴を有する。第２の実施形態に係るペンダント１´の本体４´の背面３´は、平坦な表面として設計されない。しかし、その代わりにペンダント１´の正面と同種の他のレンチキュラー物体９を有する。このレンチキュラー物体９は、正面のレンチキュラー物体５と同じように設計されると共に配置される。
【図１】
2012524572.tif 000003
【図２】
2012524572.tif 000004
【図３】
2012524572.tif 000005
【図４】
2012524572.tif 000006
【国際調査報告】
2012524572.tif 000007
2012524572.tif 000008
2012524572.tif 000009
2012524572.tif 000010
2012524572.tif 000011
2012524572.tif 000012